(57)【要約】【課題】停電後に非常電源装置から外部機器へ動作用電力の供給を外部機器の動作が安定した状態で行うようにする。【解決手段】非常電源装置は、停電時に人為的操作に対応して発生した起動信号の入力に応じて、外部のインバータ手段に電力を供給するように構成される。人為的操作によって発生する起動信号には、開閉停操作スイッチの非常電源起動ボタンが操作された場合に発生するもの、又は消火用ホースから送水されることによって作動する水圧スイッチからの起動信号などがある。起動信号は、人為的操作で発生するため、発生時刻は不明である。非常電源装置は、停電時にインバータ手段に電力を供給する際に、これらの起動信号が入力した場合、その入力時点から所定時間（インバータ手段の放電時間）を計時し、所定時間経過後にインバータ手段に電力の供給を行うようにした。【選択図】  図３
2019083629.tif 000002
【特許請求の範囲】
【請求項１】
停電時に人為的操作に対応して発生した起動信号の入力に応じて、外部のインバータ手段に電力を供給するように構成された非常電源装置において、
前記起動信号を入力した時点から第１の所定時間経過後に前記インバータ手段に前記電力の供給を行うようにしたことを特徴とする非常電源装置。
【請求項２】
請求項１に記載の非常電源装置において、
前記停電発生時から第２の所定時間が経過後に自動的に前記インバータ手段に前記電力の供給を行う場合であって、前記前記第２の所定時間が経過する前に前記起動信号が入力した場合には、前記第１の所定時間経過後に前記インバータ手段に前記電力の供給を行うことを特徴とする非常電源装置。
【請求項３】
請求項２に記載の非常電源装置において、
前記停電発生時から第２の所定時間が経過後に自動的に前記インバータ手段に前記電力の供給を行う場合であって、前記前記第２の所定時間が経過する前に前記起動信号が入力した場合には、前記第２の所定時間経過後に前記インバータ手段に前記電力の供給を行うことを特徴とする非常電源装置。
【請求項４】
請求項２に記載の非常電源装置において、
前記前記第２の所定時間が経過する前に前記起動信号が入力した場合、前記停電発生時からの経過時間を、前記第１の所定時間から減算した値に相当する時間が経過した後に前記インバータ手段に前記電力の供給を行うことを特徴とする非常電源装置。
【請求項５】
請求項１、２、３又は４に記載の非常電源装置において、
前記起動信号は人為的に操作された操作スイッチの起動ボタンからの信号又は水圧スイッチからの作動信号であることを特徴とする非常電源装置。
【請求項６】
停電時に人為的操作に対応して発生した起動信号の入力に応じて、インバータ手段に電力を供給して開口部周縁部に設けられた開閉手段の開閉動作を制御するように構成された非常電源装置を備えた開閉体装置において、
前記起動信号を入力した時点から第１の所定時間経過後に前記インバータ手段に前記電力の供給を行うようにしたことを特徴とする開閉体装置。
【請求項７】
請求項６に記載の開閉体装置において、
前記停電発生時から第２の所定時間が経過後に自動的に前記インバータ手段に前記電力の供給を行うことを特徴とする開閉体装置。
【請求項８】
請求項７に記載の開閉体装置において、
前記前記第２の所定時間が経過する前に前記起動信号が入力した場合、前記第２の所定時間経過後に前記インバータ手段に前記電力の供給を行うことを特徴とする開閉体装置。
【請求項９】
請求項７に記載の開閉体装置において、
前記前記第２の所定時間が経過する前に前記起動信号が入力した場合、前記停電発生時からの経過時間を、前記第１の所定時間から減算した値に相当する時間が経過した後に前記インバータ手段に前記電力の供給を行うことを特徴とする開閉体装置。
【請求項１０】
請求項６、７、８又は９に記載の開閉体装置において、
前記起動信号は人為的に操作された操作スイッチの起動ボタンからの起動信号又は水圧スイッチからの作動信号であることを特徴とする非常電源装置。
【発明の詳細な説明】
【技術分野】
【０００１】
本発明は、ビル、工場、倉庫などの建物を含む構造物躯体の開口部などをシャッターなどの開閉体を用いて仕切るように構成された非常電源装置及び開閉体装置に係り、特に停電時に各機器へ電力を供給する非常電源装置及び開閉体装置に関する。
【背景技術】
【０００２】
シャッターカーテンなどのような開閉体装置は、住宅、ビル、工場、倉庫、車庫などの建物を含む構造物躯体の開口部や窓部あるいは内部の通路や空間などの開口部に設置され、その開閉体を移動させることによってその開口部を開放、閉鎖するものである。この開閉体装置は、多数の短冊状のスラット材からなるスラットカーテン、多数のパイプ材をリンク材などで連結させてなるパイプグリルカーテン、一枚状あるいは多数連結されたパネル材からなるパネルカーテン、ネット材からなるネットカーテン、合成樹脂あるいは布繊維製のシート材からなるシートカーテン、あるいはこれらの複合部材などからなる複合カーテンなどの開閉体を、開口部の上部から繰り出し下降させて開口部全体を閉鎖するように構成されている。このような開閉体装置は、開閉体の開閉動作を電動で行なう場合が多い。電動の開閉体装置としては、電動シャッター装置、電動ドア装置、電動オーニング装置などがある。
【０００３】
このような電動の開閉体装置の中には、火災による停電時でも、消防隊のホースを給水口（送水口）に連結し放水することによって、開閉体装置を電動にて動作させて開閉体を非常開放するように構成された非常電源装置を備えたものがある。このような非常電源装置を備えた開閉体装置としては、特許文献１に記載のものが知られている。
【先行技術文献】
【特許文献】
【０００４】
【特許文献１】特開２００９−７９４５７号公報
【発明の開示】
【発明が解決しようとする課題】
【０００５】
非常電源装置は、バッテリからなる予備電源及びインバータ機器などの電子部品を搭載して構成されている。この非常電源装置には、開閉体装置の自動閉鎖装置、障害物感知装置、危害防止用連動中継器、起動ボタンを備えた操作スイッチ及び水圧スイッチなどの外部機器や外部電源線などが接続されている。
【０００６】
非常電源装置は、停電等によって外部電源線からの電力供給が停止した場合、電力の供給元を商用電源から予備電源に切り替えるだけで、外部機器にいつでも電力を供給することが可能な状態にある。従って、停電等によって外部電源線からの電力供給が停止した状態で、非常電源装置の起動ボタンが人為的に操作された場合又は水圧スイッチからの作動信号が非常電源装置に入力した場合、非常電源装置から外部機器に対して動作用電力が瞬時に供給されるように構成されていた。
ところが、停電後に例えば３〜１０秒程度で起動ボタンが操作された場合又は水圧スイッチからの作動信号が入力した場合、外部機器の中でインバータ機器等を使用しているものがあった場合、出力側の外部機器が正常に始動しなくなる可能性があった。インバータ機器の場合、停電してから復電までに一定時間の放電を必要としているからである。
【０００７】
本発明は、上述の点に鑑みてなされたものであり、停電後に非常電源装置から外部機器へ動作用電力の供給を外部機器の動作が安定した状態で行うことのできる非常電源装置及び開閉体装置を提供することにある。
【課題を解決するための手段】
【０００８】
本発明の非常電源装置の第１の特徴は、停電時に人為的操作に対応して発生した起動信号の入力に応じて、外部のインバータ手段に電力を供給するように構成された非常電源装置において、前記起動信号を入力した時点から第１の所定時間経過後に前記インバータ手段に前記電力の供給を行うようにしたことにある。
人為的に操作されることによって発生する起動信号には、例えば、開閉体装置などの開閉停の操作スイッチに設けられた非常電源の起動ボタンが操作された場合に発生する起動信号、又は火災時などに消火用ホースから送水（注入）され、それによって作動する水圧スイッチからの起動信号などがある。これらの起動信号は、人為的操作に応じて発生するため、その発生時刻は不明である。そこで、停電時にインバータ手段に電力を供給する際に、これらの起動信号が入力した場合、その入力時点から第１の所定時間、例えば、インバータ手段が停電してから復電までに要する一定の放電時間に相当する時間を計時し、その第１の所定時間経過後にインバータ手段に電力の供給を行うようにした。これによって、インバータ手段の放電時間を十分に確保することができ、インバータ手段を正常に始動させることが可能となる。なお、非常電源装置が外部機器に対して動作用電力の供給を停止した場合でも、停電時にといては同様の処理を行い、インバータ手段の放電時間を十分に確保するように動作する。
【０００９】
本発明の非常電源装置の第２の特徴は、前記第１の特徴に記載の非常電源装置において、前記停電発生時から第２の所定時間が経過後に自動的に前記インバータ手段に前記電力の供給を行う場合であって、前記前記第２の所定時間が経過する前に前記起動信号が入力した場合には、前記第１の所定時間経過後に前記インバータ手段に前記電力の供給を行うことにある。
これは、非常電源装置が停電発生時から第２の所定時間経過後に自動的に起動する場合であって、起動信号入力時点が第２の所定時間経過前の場合は、起動信号入力時点から第１の所定時間が経過するまでインバータ手段に電力の供給を行わないようにしたものである。これによって、起動信号入力時点から第１の所定時間が経過するまで、インバータ手段に電力の供給を行わないことによって、インバータ手段の放電時間を十分に確保し、インバータ手段を正常に始動させることが可能となる。
【００１０】
本発明の非常電源装置の第３の特徴は、前記第１の特徴に記載の非常電源装置において、前記停電発生時から第２の所定時間が経過後に自動的に前記インバータ手段に前記電力の供給を行う場合であって、前記前記第２の所定時間が経過する前に前記起動信号が入力した場合には、前記第２の所定時間経過後に前記インバータ手段に前記電力の供給を行うことにある。
これは、非常電源装置が停電発生時から第２の所定時間経過後に自動的に起動する場合であって、起動信号入力時点が第２の所定時間経過前の場合は、起動信号の入力に関わらず第２の所定時間経過後にインバータ手段に電力の供給を行うようにしたものである。停電発生時から第２の所定時間経過後に電力の供給を行うので、起動信号の入力に対応して第１の所定時間を計時処理する必要はなく、インバータ手段の放電時間も十分に確保することができ、インバータ手段を正常に始動させることが可能となる。なお、停電発生時から第２の所定時間経過後であって未だ停電中において、非常電源装置がインバータ手段への電力の供給を停止した後は、起動信号入力後Ｙ秒が経過するまで、非常電源装置を再起動しないように処理することが好ましい。
【００１１】
本発明の非常電源装置の第４の特徴は、前記第２の特徴に記載の非常電源装置において、前記前記第２の所定時間が経過する前に前記起動信号が入力した場合、前記停電発生時からの経過時間を、前記第１の所定時間から減算した値に相当する時間が経過した後に前記インバータ手段に前記電力の供給を行うことにある。
これは、非常電源装置が停電発生時から第２の所定時間経過後に自動的に起動する場合であって、起動信号入力時点が第２の所定時間経過前の場合は、停電発生時から起動信号入力時点までの経過時間を、第１の所定時間から減算し、その減算値に相当する時間の経過後にインバータ手段に電力の供給を行うことによって、停電発生時から第１の所定時間経過後に電力の供給を行うことができるので、インバータ手段の放電時間も十分に確保することができ、インバータ手段を正常に始動させることが可能となる。なお、停電中に非常電源装置がインバータ手段への電力の供給を停止した場合には、減算処理を行うことなく、起動信号入力後Ｙ秒が経過するまで、非常電源装置を再起動しないように処理する。
【００１２】
本発明の非常電源装置の第５の特徴は、前記第１、第２、第３又は第４の特徴に記載の非常電源装置において、前記起動信号は人為的に操作された操作スイッチの起動ボタンからの信号又は水圧スイッチからの作動信号であることにある。
これは、起動信号が、開閉体装置などの開閉停の操作スイッチに設けられた非常電源の起動ボタンが操作された場合に発生する起動信号、又は火災時などに消火用ホースから送水（注入）され、それによって作動する水圧スイッチからの起動信号などであることを明確にしたものである。
【００１３】
本発明の開閉体装置の第１の特徴は、停電時に人為的操作に対応して発生した起動信号の入力に応じて、インバータ手段に電力を供給して開口部周縁部に設けられた開閉手段の開閉動作を制御するように構成された非常電源装置を備えた開閉体装置において、前記起動信号を入力した時点から第１の所定時間経過後に前記インバータ手段に前記電力の供給を行うようにしたことにある。
これは、前記非常電源装置の第１の特徴に対応した開閉体装置の発明である。
【００１４】
本発明の開閉体装置の第２の特徴は、前記第１の特徴に記載の開閉体装置において、前記停電発生時から第２の所定時間が経過後に自動的に前記インバータ手段に前記電力の供給を行う場合であって、前記前記第２の所定時間が経過する前に前記起動信号が入力した場合には、前記第１の所定時間経過後に前記インバータ手段に前記電力の供給を行うことにある。
これは、前記非常電源装置の第２の特徴に対応した開閉体装置の発明である。
【００１５】
本発明の開閉体装置の第３の特徴は、前記第１の特徴に記載の開閉体装置において、前記停電発生時から第２の所定時間が経過後に自動的に前記インバータ手段に前記電力の供給を行う場合であって、前記前記第２の所定時間が経過する前に前記起動信号が入力した場合には、前記第２の所定時間経過後に前記インバータ手段に前記電力の供給を行うことにある。
これは、前記非常電源装置の第３の特徴に対応した開閉体装置の発明である。
【００１６】
本発明の開閉体装置の第４の特徴は、前記第２の特徴に記載の開閉体装置において、前記前記第２の所定時間が経過する前に前記起動信号が入力した場合、前記停電発生時からの経過時間を、前記第１の所定時間から減算した値に相当する時間が経過した後に前記インバータ手段に前記電力の供給を行うことにある。
これは、前記非常電源装置の第４の特徴に対応した開閉体装置の発明である。
【００１７】
本発明の開閉体装置の第５の特徴は、前記第１、第２、第３又は第４の特徴に記載の開閉体装置において、前記起動信号は人為的に操作された操作スイッチの起動ボタンからの起動信号又は水圧スイッチからの作動信号であることにある。
これは、前記非常電源装置の第５の特徴に対応した開閉体装置の発明である。
【発明の効果】
【００１８】
本発明によれば、停電後に非常電源装置から外部機器へ動作用電力の供給を外部機器の動作が安定した状態で行うことができるという効果がある。
【図面の簡単な説明】
【００１９】
【図１】本発明に係るシャッター装置の概略構成の一例を示す図である。
【図２】本発明に係る開閉体装置を構成する制御システムの回路構成の概略を示す図である。
【図３】図１及び図２の非常電源装置の停電発生後の処理の一例を示すフローチャート図である。
【発明を実施するための最良の形態】
【００２０】
以下添付図面に従って本発明に係る開閉体装置の好ましい実施の形態について説明する。この実施の形態では開閉手段として上下に開閉動作されるシャッター装置を例に説明する。図１は、本発明に係るシャッター装置の概略構成の一例を示す図である。図１において、開閉体装置１０は出入口の開口部を上下に開閉するシャッター装置である。
【００２１】
開閉体装置１０は、建物の開口部に設けられるものであり、基本的にシャッターケース１１、シャッターカーテン１２、ガイドレール１３，１４、巻取シャフト１５、チェーン１６、モータ１７、制御装置１８、操作スイッチ１９、非常電源装置２０、障害物感知器１８５及び水圧スイッチ３０などを含んで構成される。この開閉体装置１０は、通常時には、操作スイッチ１９の操作に応じて、開閉機であるモータ１７を駆動して開閉制御するようになっている。さらに、この開閉体装置１０では、シャッターカーテン１２が巻取シャフト１５に巻き取られている開放状態を機械的な保持機構（図示せず）によって保持しており、この開放状態で外部から火災の発生などを示す非常信号ＢＳなどが制御装置１８に入力された場合には、その保持機構による開放状態の保持が解除されて、シャッターカーテン１２は、その自重で自然降下して開口部を自動閉鎖する機能を備えている
【００２２】
ガイドレール１３，１４は、シャッターカーテン１２の両端部に接するように建物の開口部の両端側に設けられ、まぐさ部から床面まで掛け渡された断面形状がコの字型の案内溝を有する金属製部材又はこれと同等の部材で構成されている。シャッターカーテン１２は、このガイドレール１３，１４の各案内溝に沿って上昇下降し、開口部の開閉動作を行う。
【００２３】
巻取シャフト１５は、シャッターケース１１の両端側に回動可能に設けられ、シャッターカーテン１２を巻き取ったり巻き戻したりする。チェーン１６は、モータ１７の回転軸に設けられた主動スプロケットと巻取シャフト１５の回転軸に設けられた従動スプロケットとを連結している。従って、モータ１７の回転駆動力は、チェーン１６を介して巻取シャフト１５側に伝達され、モータ１７が回転すると、チェーン１６を介して巻取シャフト１５が回転し、シャッターカーテン１２の開閉動作が制御されるようになっている。
【００２４】
モータ１７には、その回転位置すなわちシャッターカーテン１２の開閉位置と開閉状態を検出するための位置検出装置（図示せず）が設けられている。この位置検出装置は、パルス発生型のロータリーエンコーダ等で構成される。モータ１７の回転に応じたパルス信号が制御装置１８に出力されるので、モータ１７の回転位置やシャッターカーテン１２の閉鎖側先端部の開口部における位置などはこのパルスの発生状況に基づいて制御装置１８が演算にて求めることになる。
【００２５】
制御装置１８は、マイクロコンピューター構成になっており、非常電源装置２０を介して電源ラインＡＣからの電力が供給されている。制御装置１８は、操作スイッチ１９上の各操作ボタンの操作状態に対応した制御信号やモータ１７に設けられた位置検出装置からの信号やプロテクタからの信号などに基づいてモータ１７の回転を制御したり、非常信号ＢＳに基づいて保持機構を解除したりする。
【００２６】
操作スイッチ１９は、開閉停の各動作に対応した制御スイッチとして、上昇（開）ボタン１９Ａ、停止（停）ボタン１９Ｂ、下降（閉）ボタン１９Ｃをそれぞれ有し、これら各ボタンの操作状態に応じた制御信号を制御装置１８に出力する。また、図示していないが、操作スイッチ１９は、自動閉鎖機能を作動させるための作動信号を出力する作動スイッチ、この作動スイッチによる信号を解除して自動閉鎖機能を復旧させるための復旧信号を出力する復旧スイッチ、非常電源装置２０を起動させるための起動信号を出力する起動ボタン、非常電源装置２０から出力される移報信号を開放するための解除スイッチ等を具備している。
【００２７】
非常信号ＢＳは、火災発生などの非常時に外部の制御室などから供給される電圧２４［Ｖ］の信号であり、制御装置１８内の危害防止用連動中継器（図１では図示していない）に入力される。なお、外部からの非常信号ＢＳの入力と併せて、又は代わりにシャッターケース１１の内側であって、まぐさ部の開口部近傍すなわちシャッターカーテン１２が昇降する部分に温度感知器などを設けてもよい。この温度感知器としては、常時接点がオン状態にあり、接点が所定温度（摂氏１００〜３００度の範囲の任意温度）に達した時点で接点を開きオフ状態となるＢ接点の自動復帰型の高温度用バイメタル式サーモスタットなどで構成され、接点が開いた場合には火災などが発生したことを示す信号を非常電源装置２０に出力し、非常電源装置２０から非常信号ＢＳに相当する信号を出力するようにしてもよい。
【００２８】
障害物感知器１８５は、送信機がシャッターカーテン１２の下端部（座板）に設けられたもので、障害物感知時には、内蔵された座板スイッチの移動に対応した感知信号を制御装置１８に送信し、また、その後の障害物の除去により座板スイッチの復帰移動時には、復帰信号を送信する構成となっている。障害物感知器１８５の送信機から制御装置１８への信号の送信は、図のような有線方式に限らず、電池を電源として作動する無線方式のものでもよい。また、シャッターカーテン１２の下端部に障害物の接触で移動する座板スイッチを設け、障害物接触時の座板の移動力でガイドレールの高さ方向に沿って設けられたテープスイッチを押圧する構成や、テープスイッチから制御手段に対し感知信号を有線出力する構成としてもよい。この他、開口部に光電管やＬＥＤ等の投受光センサを設け、画像認識等により障害物を非接触で感知する構成としてもよい。
【００２９】
水圧スイッチ３０は、建物外部に設けられた送水口（図示せず）に火災時などに消火用ホースが接続され、そこから送水（注入）が開始され、その水圧（水流の勢い）が所定範囲内の大きさのときに作動するスイッチであり、その作動信号を非常電源装置２０に出力する。この作動信号を入力した非常電源装置２０は、移報信号を障害物感知装置制御盤１８４に出力する。水圧スイッチ３０を作動させる水圧の範囲は、想定される消防隊の放水能力を考慮して適宜設定されている。送水口には火災時などに消火用ホースが接続されるものである。送水口から送水された水は、水圧スイッチ３０を経由して図示しない排水口から排水されるようになっている。
【００３０】
図２は、本発明に係る開閉体装置を構成する制御システムの回路構成の概略を示す図である。制御装置１８は、マイクロコンピューターによってそれぞれ制御されるものであり、開閉機制御装置１８１、危害防止用連動中継器１８２、自動閉鎖装置１８３及び障害物感知装置制御盤１８４を備えて構成されており、操作スイッチ１９、障害物感知器１８５、水圧スイッチ３０等から入力される信号や非常電源装置２０から出力される電力及び各種信号を処理して、モータ１７および自動閉鎖装置１８３を制御する。
【００３１】
開閉機制御装置１８１は、電源ラインからの商用電源の入力断を示す入力断信号を入力することによって非常電源装置２０によって切替られて電源ラインを介して供給される直流又は交流電圧によって動作する。すなわち、通常、モータ１７には、商用電源からの電力が供給されているが、停電時などの非常時において商用電源からの電力供給が停止した入力断となった場合などには、開閉機制御装置１８１が非常電源装置２０の出力回路２０４から直流又は交流電圧の供給を受けるようになっている。開閉機制御装置１８１は、直流又は交流電圧をモータ１７の定格に応じた電力源に変換するためのインバータ回路を内蔵している。このインバータ回路は、モータ１７に設けられた位置検出装置１７２からのシャッター位置情報を示す信号を受信し、それに基づいて直流電圧から交流電圧への変換動作を制御している。なお、図２では、制御装置１８以外への電源ラインの接続関係については、その図示を省略してある。
【００３２】
危害防止用連動中継器１８２は、非常信号ＢＳまたは操作スイッチ１９からの作動信号を受けた際に、自動閉鎖装置１８３を作動させるための電源（例えばＤＣ２４Ｖ等）を、商用電源又は非常電源装置２０から出力するものである。危害防止用連動中継器１８２は、通常は、商用電源を使用して出力するが、停電時などには非常電源装置２０からの電力によって自動閉鎖装置１８３へ直流２４Ｖ信号を出力する。
【００３３】
自動閉鎖装置１８３は、危害防止用連動中継器１８２を介して供給される直流２４Ｖ信号に応じて保持機構１７１を解放し、巻取り状態にあるシャッターカーテン１２を自重で下降させ自動的に開口部を閉鎖するように動作する。自動閉鎖装置１８３は、直流２４Ｖ信号が供給された際に、モータの回転力により押圧作動部材を突出させるように構成してある。この押圧作動部材は、その突端部で保持機構１７１の操作レバーを押圧操作するように配置されている。自動閉鎖装置１８３は、非常時には、操作スイッチ１９に設けられた非常閉鎖ボタンの操作に応じて、シャッターカーテン１２を自重で降下させることもある。自動閉鎖装置１８３は、危害防止用連動中継器１８２からの直流２４Ｖ信号が供給されている間、保持機構１７１を解放するが、障害物感知装置制御盤１８４の障害物感知信号がある場合には、その間保持機構１７１を復帰するようになっている。なお、危害防止用連動中継器１８２からの電力供給（直流２４Ｖ信号）がなくなった場合に保持機構１７１を復帰するものもある。
【００３４】
非常電源装置２０は、マイクロコンピューターによってそれぞれ制御されるものであり、電源切替回路２０１、充電回路２０２、予備電源（蓄電池）２０３及び出力回路２０４等を備えて構成されている。電源切替回路２０１は、電源ラインを介して供給される商用電源ＡＣを開閉機制御装置１８１に供給すると共に充電回路２０２に電力を供給する。また、電源切替回路２０１は、電源ラインから供給される商用電源ＡＣの入力断となったことを検出した時点で出力回路２０４へ商用電源の入力断となったことを示す入力断信号を出力する。充電回路２０２は、電源切替回路２０１から供給される電力を用いて予備電源（蓄電池）２０３を充電する。予備電源（蓄電池）２０３は、リチウムイオン充電池やその他のバッテリ（充電式以外にも乾電池のように使い切るタイプの電源も含む）などから構成され、停電時に出力回路２０４を介して、開閉機制御装置１８１などへ電力を供給する。
【００３５】
出力回路２０４は、電源切替回路２０１から商用電源の入力断を示す入力断信号を入力することによって予備電源２０３からの直流電圧をそのまま、又はインバータ回路の種類に応じて交流電圧に変換して開閉機制御装置１８１などの外部機器に供給する。すなわち、出力回路２０４は、電力供給する外部機器の仕様に応じて直流又は交流電圧を供給可能である。通常、開閉機制御装置１８１には、商用電源からの電力が供給されているが、停電時などの非常時において商用電源からの電力供給が停止した入力断となった場合などには、出力回路２０４が予備電源２０３からの直流電圧を開閉機制御装置１８１のインバータ回路に供給するようになっている。また、インバータ回路が交流電圧を入力し、所定の交流電圧に変換するタイプの場合は、出力回路２０４は、予備電源２０３からの直流電圧を交流電圧に変換して、開閉機制御装置１８１のインバータ回路に供給する。
【００３６】
図３は、図１及び図２の非常電源装置の停電発生後の処理の一例を示すフローチャート図である。停電発生後に非常電源装置は処理をスタートするが、停電発生直後に操作スイッチ１９の起動ボタンが操作されて起動信号が入力した場合又は水圧スイッチからの作動信号が入力した場合に実行する処理の詳細について説明する。
【００３７】
ステップＳ３１では、停電に伴って商用電源の入力断となったことを示す入力断信号を電源切替回路２０１が出力回路２０４へ出力すると共に停電発生時からの経過時間Ｔａを計時するためにタイマ計時処理を開始する。
【００３８】
ステップＳ３２では、操作スイッチ１９の起動ボタンが操作されて起動信号を入力したか否かの判定を行い、入力した（ｙｅｓ）場合はステップＳ３５に進み、入力していない（ｎｏ）場合は次のステップＳ３３に進む。
【００３９】
ステップＳ３３では、水圧スイッチからの作動信号を入力したか否かの判定を行い、入力した（ｙｅｓ）場合はステップＳ３５に進み、入力していない（ｎｏ）場合は次のステップＳ３４に進む。
【００４０】
ステップＳ３４では、電源切替回路２０１が入力断信号を出力してから所定時間Ｘ秒経過したか否か、すなわち上述のタイマ計時処理におけるタイマの値Ｔａが所定時間Ｘ秒であるか否かの判定を行い、所定時間Ｘ秒経過している（ｙｅｓ）場合は次のステップＳ３６に進み、経過していない場合（ｎｏ）はステップＳ３２にリターンする。この処理において、Ｘ秒とは、開閉機制御装置１８１内のインバータ回路の放電時間に相当する時間であり、例えば１０〜６０秒であり、予めパラメータ設定される値である。
【００４１】
ステップＳ３５では、ステップＳ３２で起動信号入力又はステップＳ３３で作動信号入力と判定されたので、これらの信号が入力してからＹ秒経過するまで非常電源装置２０の起動を遅延させるためのＹ秒計時処理を実行する。操作スイッチ１９の起動ボタンは人為的に操作されるため、その発生時刻は不明である。また、水圧スイッチからの作動信号についても同様に発生時刻が不明である。そこで、この実施の形態では、これらの起動信号又は作動信号が入力してから所定時間Ｙ秒が経過するまで、非常電源装置２０を起動しないようにしている。この処理において、Ｙ秒とは、上記Ｘ秒と同じ値、すなわち１０〜６０秒とし、予めパラメータ設定される値である。なお、ステップＳ３２の起動信号又はステップＳ３３の作動信号が停電発生と同時に入力する可能性は少ないので、Ｙ秒にＸ秒よりも小さな値を設定してもよい。
【００４２】
ステップＳ３６では、停電開始直後Ｘ秒が経過、又は起動信号若しくは作動信号の入力後Ｙ秒が経過したので、非常電源装置２０を起動する。
ステップＳ３７では、例えば、停電によって中断した処理、操作スイッチ１９の各スイッチに対応したシャッターカーテン１２の開閉停処理、水圧スイッチの作動信号に対応した非常開放処理等の各種処理を実行する。
ステップＳ３８では、シャッターカーテン１２の全開又は全閉状態で停止した場合又は操作スイッチ１９の停止（停）ボタン１９Ｂの押圧（オン）によって停止された場合、非常電源装置２０から外部機器に対して動作用電力の供給を停止する。
ステップＳ３９では、停電が終了したか否かを判定し、停電終了（ｙｅｓ）の場合は処理を終了し、停電状態にある（ｎｏ）場合はステップＳ３２にリターンし、ステップＳ３２〜ステップＳ３９の処理を繰り返す。これによって、非常電源装置２０が外部機器への動作用電力の供給を停止した場合であっても、起動信号若しくは作業信号の入力後Ｙ秒が経過するまで、非常電源装置２０を再起動することがなく、インバータ機器の放電時間を十分に確保することが可能となる。
【００４３】
上述の実施の形態では、ステップＳ３２、ステップＳ３３及びステップＳ３５の処理で、起動信号若しくは作動信号の入力後Ｙ秒が経過するまで、非常電源装置２０を起動しない場合について説明したが、ステップＳ３５のＹ秒計時処理に代えて、ステップＳ３１のタイマ計時処理によって計時中の停電後経過時間Ｔａ秒を、Ｙ秒から減算し、その減算値（Ｙ−Ｔａ）秒だけ計時処理してもよい。この場合、停電後Ｔａ秒経過しているので、減算値（Ｙ−Ｔａ）秒に相当する時間だけ遅延することで、インバータ機器に対して一定時間Ｙ秒の放電を実行することができるからである。また、減算値（Ｙ−Ｔａ）秒がマイナスの場合は、停電後Ｙ秒経過しているので計時処理することなく、ステップＳ３６に進み、非常電源装置２０を起動するようにしてもよい。ここでＸ秒とＹ秒とが同じ値の場合、停電発生後の所定時間Ｘ秒（又はＹ秒）経過後に非常電源装置２０が起動することになる。
【００４４】
上述の実施の形態では、停電発生後に所定時間Ｘ秒経過後に自動的に非常電源装置を起動する場合であって、この所定時間Ｘ秒経過前に起動信号若しくは作動信号を入力した場合に、その信号が入力してからＹ秒経過後に非常電源装置を起動する場合について説明したが、停電発生後の所定時間Ｘ秒経過後に非常電源装置を起動して、起動信号若しくは作動信号に対応した処理を実行するようにしてもよい。この場合、ステップＳ３５の処理を省略し、ステップＳ３２及びステップＳ３３の判定結果がｙｅｓの場合、ステップＳ３４に進むように処理すればよい。また、停電中に非常電源装置２０が外部機器への動作用電力の供給を停止した場合には、起動信号若しくは作業信号の入力後Ｙ秒が経過するまで、非常電源装置２０を再起動しないようにステップＳ３５と同様の処理を実行すればよい。このＸ秒やＹ秒は、非常電源装置２０に備えられている図示しないメモリに予め固定的に記憶されていてもよいし、操作スイッチからの入力やＵＳＢメモリ等の外部記憶装置からメモリに記憶させことで対応してもよい。
【００４５】
上述の実施の形態では、停電発生後に所定時間Ｘ秒経過後に自動的に非常電源装置を起動する場合について説明したが、自動的に非常電源装置を起動しない場合にも同様に起動信号若しくは作動信号が入力してからＹ秒経過後に非常電源装置を起動するようにしてもよい。この場合は、図３のステップＳ３１及びステップＳ３４の処理を省略し、ステップＳ３３の判定結果がｎｏの場合、ステップＳ３２にリターンするように処理すればよい。
【００４６】
上述の実施の形態では、上下昇降方式で繰り出されるシャッターカーテンを例に説明したが、シャッター状の開閉部材が横引き方式で繰り出されたり、あるいは水平方式で繰り出されたりするものであっても同様に適用することができる。また、開閉体装置としては、例えば、シャッター装置、窓シャッター装置、ブラインド装置、ロールスクリーン装置、垂れ幕装置、引戸装置、移動間仕切装置、オーニング装置、防水板装置などにも適用可能である。
【符号の説明】
【００４７】
１０…開閉体装置
１１…シャッターケース
１２…シャッターカーテン
１３，１４…ガイドレール
１５…巻取シャフト
１６…チェーン
１７…モータ
１７１…保持機構
１７２…位置検出装置
１８…制御装置
１８１…開閉機制御装置
１８２…危害防止用連動中継器
１８３…自動閉鎖装置
１８４…障害物感知装置制御盤
１８５…障害物感知器
１９…操作スイッチ
１９Ａ…上昇（開）ボタン
１９Ｂ…停止（停）ボタン
１９Ｃ…下降（閉）ボタン
２０…非常電源装置
２０１…電源切替回路
２０２…充電回路
２０３…予備電源
２０４…出力回路
３０…水圧スイッチ
【図１】
2019083629.tif 000003
【図２】
2019083629.tif 000004
【図３】
2019083629.tif 000005